(57)【特許請求の範囲】
【請求項１】
容器の下端部に設けられた液流出筒に取着され、該液流出筒に取り付けられる取付筒と、該取付筒から延びて支持筒に接続する流通管と、注出筒を流通管と連通可能に嵌挿した支持筒とを具備した液注出栓具であって、
前記注出筒は上下方向に延びており、支持筒に、先端に注出筒下端の注出口を密封する蓋体を設けた可撓性を有する蓋支持板を連設し、
蓋支持板の支持筒側の上部にフック状突起を形成する係止片と蓋体の頂壁に前記係止片に引っ掛ける環状の円弧部を形成する係止環とからなる係止部を設け、
閉栓時には、蓋支持板を下方に湾曲して蓋体を注出口に被嵌し、
開栓した液注出時に、蓋支持板を上方に湾曲して蓋体の係止環を、蓋支持板の支持筒側に設けられた係止片に引っ掛けて係止することを特徴とする容器の液注出栓具。
【請求項２】
容器の下端部に設けられた液流出筒に取着され、該液流出筒に取り付けられる取付筒と、該取付筒から延びて支持筒に接続する流通管と、注出筒を流通管と連通可能に嵌挿した支持筒とを具備した液注出栓具であって、
前記注出筒は上下方向に延びており、支持筒に、先端に注出筒下端の注出口を密封する蓋体を設けた可撓性を有する蓋支持板を連設し、
蓋支持板の支持筒側に設けた係止孔と、蓋体の頂壁の上部に立設した前記係止孔に引っ掛けるフック状突起を形成する係止片とからなる係止部を設け、
閉栓時には、蓋支持板を下方に湾曲して蓋体を注出口に被嵌し、
開栓した液注出時に、蓋支持板を上方に湾曲して蓋体の係止片を、蓋支持板の支持筒側に設けられた係止孔に引っ掛けて係止することを特徴とする容器の液注出栓具。
【発明の詳細な説明】
【技術分野】
【０００１】
本発明は、液体用容器の液注出栓具、とくに注出口を開閉する蓋体の係止機構に関するものである。
【背景技術】
【０００２】
合成樹脂製容器（１）と、ダンボール箱（１１）とからなる液体密封容器において、容器に開閉自在な注入口（３）と流出口（５）を設け、流出口（５）に、蓋体（１２）と支持筒体（１４）、筒栓（１６）とハンドル（２５）、および注出口（１５）を塞ぐ筒栓用蓋（２２）とを具えた液注出栓を取着した容器は、従来より知られている（特許文献１参照）。
【特許文献１】実公昭４５−３３０９７号公報
【発明の開示】
【発明が解決しようとする課題】
【０００３】
しかしながら、上記特許文献１記載の従来例では、蓋体（２２）が支持筒体（１４）に紐（２３）を介して取着しているので、蓋体（２２）を取外して開栓し注出口より内容液を流出させる際に、蓋体（２２）が流出する内容液に触れることや、また、流出した液を注出口よりコップ等の容器に注ぐ場合には、容器の縁に蓋体（２２）が当たったり、容器にためた内容液の中に蓋体（２２）が入ってしまうこともあり、衛生上好ましくないという問題もあった。
【０００４】
本発明は、上記の問題を解決することを課題とし、液注出栓具を開栓し注出口より内容液を注出する際に、注出口を密封する蓋体を液注出栓具の支持筒側に設けられた係止部に係止し、内容液注出の妨げにならないようにした容器の液注出栓具を提供することを目的とする。
【課題を解決するための手段】
【０００５】
本発明は、上記の課題を解決するため、液注出栓具として、容器の下端部に設けられた液流出筒に取着され、該液流出筒に取り付けられる取付筒と、該取付筒から延びて支持筒に接続する流通管と、注出筒を流通管と連通可能に嵌挿した支持筒とを具備した液注出栓具であって、前記注出筒は上下方向に延びており、支持筒に、先端に注出筒下端の注出口を密封する蓋体を設けた可撓性を有する蓋支持板を連設し、蓋支持板の支持筒側の上部にフック状突起を形成する係止片と蓋体の頂壁に前記係止片に引っ掛ける環状の円弧部を形成する係止環とからなる係止部を設け、閉栓時には、蓋支持板を下方に湾曲して蓋体を注出口に被嵌し、開栓した液注出時に、蓋支持板を上方に湾曲して蓋体の係止環を、蓋支持板の支持筒側に設けられた係止片に引っ掛けて係止することを特徴とする構成を採用する。
【０００６】
液注出栓具の別実施形態として、容器の下端部に設けられた液流出筒に取着され、該液流出筒に取り付けられる取付筒と、該取付筒から延びて支持筒に接続する流通管と、注出筒を流通管と連通可能に嵌挿した支持筒とを具備した液注出栓具であって、前記注出筒は上下方向に延びており、支持筒に、先端に注出筒下端の注出口を密封する蓋体を設けた可撓性を有する蓋支持板を連設し、蓋支持板の支持筒側に設けた係止孔と、蓋体の頂壁の上部に立設した前記係止孔に引っ掛けるフック状突起を形成する係止片とからなる係止部を設け、閉栓時には、蓋支持板を下方に湾曲して蓋体を注出口に被嵌し、開栓した液注出時に、蓋支持板を上方に湾曲して蓋体の係止片を、蓋支持板の支持筒側に設けられた係止孔に引っ掛けて係止することを特徴とする構成を採用する。
【発明の効果】
【０００９】
液注出栓具の支持筒に取着された可撓性の蓋支持板の支持筒側と蓋体とに、係止部を配設し、内容液の注出時に、蓋体を支持筒の係止部に係止しているので、内容液を注出する際に蓋が液体に触れることや、コップ等の容器に触れるということはなくなった。  
【発明を実施するための最良の形態】
【００１０】
次に、本発明の液注出栓具の実施例を、図面を参照して説明する。
【実施例１】
【００１１】
図１、２において、Ａは容器、Ｂは外箱、Ｃは容器に取着された液注出栓具である。
容器Ａは、可撓性を有する薄肉の合成樹脂によって形成されており、胴壁１には、内容液を注入，流出するための液流出筒２が配設され、液流出筒２の外周面には、ねじ３が螺設されており、液体の充填後にキャップ（図示しない）が被嵌される。
【００１２】
外箱Ｂは、ダンボール製、または合成樹脂製であり、容器Ａの液流出筒２に対応する位置には、ミシン折り目、或いは切断ラインを介して開口４が形成されるようになっている。
【００１３】
液注出栓具Ｃは、取付筒５と流通管６、および注出筒７を嵌挿した支持筒８とを具備している。
取付筒５は、頂壁９と側周壁１０とからなり、頂壁９中央には、開口１１が設けられ、流通管６に連通している。
側周壁１０内周には、液流出筒２のねじ３に螺合するねじ１２が螺設されており、取付筒５は、パッキンＰを介して液流出筒２に締着されるようになっている。
【００１４】
流通管６は、取付筒５と支持筒８とをつなぐ筒であり、取付筒５頂壁９の開口１１と、支持筒８側周壁１３の開口１４を接続し、流体が取付筒５と支持筒８との間を流通するように連設されている。
【００１５】
支持筒８の側周壁１３の下端部には、可撓性の蓋支持板１５が連設されており、該蓋支持板１５の先端には、蓋体１６が取着されている。
蓋支持板１５の支持筒８側には、係止片１７が設けられている。
【００１６】
支持筒８には、上端から注出筒７が嵌挿され、注出筒７には、上端につまみ１８、下端に注出口１９が形成されている。
注出筒７の壁面２０には、つまみ１８を回転させ開栓の状態にしたとき、支持筒８の開口１４に重なり合う開孔２１が穿設されている。
【００１７】
蓋体１６は、頂壁２２と側周壁２３とからなり、頂壁２２には、蓋支持板１５の係止片１７に係止する係止環２４を形成したつまみ部が連設されている。
閉栓時には、蓋支持板１５を湾曲して、蓋体１６を注出筒７の注出口１９に被嵌する。
【００１８】
次に、容器および液注出栓具の使用態様と作用効果について説明する。  
容器Ａに液体を充填後、運搬時には、液流出筒２にキャップを被嵌し、外箱Ｂに収納する。
使用時には、外箱Ｂの開口４を切り開き、露出した液流出筒２に被嵌しているキャップを外し、代わりに液注出栓具Ｃの取付筒５を被嵌させる。
図１に示すように、容器Ａの液流出筒２を外箱Ｂの下端に位置させると、液体を液注出栓具Ｃから注出することができる。
【００１９】
開栓時には、蓋体１６を注出口１９から外し、図３のように蓋支持板１５を湾曲させ、係止環２４を係止片１７に引っ掛けて係止させる。
注出筒７のつまみ１８を、開孔２１が支持筒８の開口１４に重なり合う位置まで回転すると、容器Ａの内容液は、開孔２１を通り注出口１９から注出される。  
つまみ１８を回転し、開孔２１と開口１４の重なり合う面の量を調節することにより、内容液の流量を調節することができる。
【００２０】
閉栓時には、つまみ１８を回転させ、開孔２１と開口１４の重なり合う面をなくすと、内容液は開口１４で遮断され、注出されなくなる。
次いで、蓋体１６の係止環２４を係止片１７から外し、蓋体１６を注出口１９に被嵌する。
【００２１】
頻繁に栓を開閉し使用する際は、蓋体１６を注出口１９から外し、係止片１７に引っ掛けておけばよいので、液注出栓具Ｃの使用が簡便になる。
【実施例２】
【００２２】
次に、支持筒と蓋体とをつなぐ蓋支持板に係止孔、および蓋体の頂壁に係止片を備えた液注出栓具の第２実施例について説明する。
【００２３】
図４，５に示すように、Ａａは容器、Ｂａは外箱、Ｃａは容器に取着された液注出栓具である。
液注出栓具Ｃａは、取付筒５ａと流通管６ａ、および注出筒７ａを嵌挿した支持筒８ａとを具備している。
【００２４】
取付筒５ａ、流通管６ａ、および注出筒７ａは、前記第１実施例と同様なので説明を省略する。
支持筒８ａには、上端から注出筒７ａが嵌挿され、廻動自在に取付けられている。
支持筒８ａの側周壁１３ａの下端部には、中間に薄肉部２５を設けた、可撓性の蓋支持板１５ａが連設され、先端には、蓋体１６ａが取着されている。
蓋支持板１５ａの支持筒８ａ側には、係止孔２６が穿設される。
【００２５】
蓋体１６ａは頂壁２２ａと側周壁２３ａとからなり、頂壁２２ａの上面には蓋支持板１５ａの係止孔２６に係止する係止片２７が突設され、側周壁２３ａの上端には、つまみ部が設けられている。
【００２６】
開蓋時には、図６に示すように、蓋支持板１５ａを中間に設けられた薄肉部２５を介して湾曲させ、蓋体１６ａの係止片２７を、蓋支持板１５ａの支持筒８ａ側の係止孔２６に係止させるようにしたので、内容液の流入出にあたっては、前記第１実施例と同様の作用効果を得ることができる。  
【００２７】
前記第１実施例では、蓋係止板１５の支持筒８側に係止片１７を設け、蓋体１６の頂壁２２に設けた係止環２４を蓋支持板１５の係止片１７に係止するようにしたが、係止片１７を支持筒８に突設し、蓋体１６を係止するようにしてもよい。
また、第２実施例では、蓋支持板１５ａに係止孔２６を設け、蓋体１６ａの頂壁２２ａに設けた係止片２７を係止させるようにしたが、支持筒８ａに第１実施例に示すような係止環を連設して、蓋体１６ａの係止片２７を係合させるようにしてもよい。
【００２８】
液注出栓具として、蓋体を係止する機構があればよく、液注出栓具および蓋の係止部の形態、構成は実施例に限定されない。
【００２９】
前記各実施例では、容器を柔軟な合成樹脂をもって成形し、外箱内に収納するようにしているが、容器を硬質の合成樹脂をもって成形し、注入孔と注出孔を別途に設け、注出孔に本発明の液注出栓具を取付けるようにしてもよく、容器は可撓性を有する薄肉の容器に限定されない。
また、薄肉の容器でない場合は、外箱は不要である。  
【００３０】
前記各実施例では、容器Ａの液流出筒２の外周にねじ３を螺設し、液流出栓具Ｃの取付筒５の側周壁１０にねじ１２を螺設し、液注出栓具Ｃを螺着するようにしたが、液注出筒２の外周端部に嵌合突条を設け、取付筒５の内周端部に液流出筒２の嵌合突条に係合する係合突条を設け、頂壁に液流出筒２の内周に嵌合する密封リングを設け、液注出栓具Ｃを容器Ａの液流出筒２に嵌合させるようにしてもよい。 
【産業上の利用可能性】
【００３１】
蓋体を、可撓性を有する薄肉の蓋支持板をもって液注出栓具に連設しているので、蓋体の開閉が容易に行われ、また、蓋体と蓋支持板の液注出栓具側に係止部を配設し、蓋体の開蓋時に蓋体を係止部に係止しているので、内容液を流出する際に蓋体が液体に触れることや、コップ等の容器内に入るということがなく衛生的である。
したがって、飲料水など食料品の分野にも幅広く利用できる。
また、液注出栓具として、可撓性の薄肉容器だけでなく、剛性を有する容器、大型容器などにも使用できる。
【図面の簡単な説明】
【００３２】
【図１】液注出栓具の第１実施例の閉蓋時の断面立面図である。
【図２】液注出栓具の開蓋時の（ａ）は断面立面図、（ｂ）は斜視図である。
【図３】液注出栓具の蓋体の係止時の説明図で、（ａ）は断面立面図、（ｂ）は斜視図である。
【図４】液注出栓具の第２実施例の閉蓋時の断面立面図である。
【図５】液注出栓具の開蓋時の（ａ）は断面立面図、（ｂ）は斜視図である。
【図６】液注出栓具の蓋体の係止時の説明図で、（ａ）は断面立面図、（ｂ）は斜視図である。
【符号の説明】
【００３３】
Ａ            容器
Ｂ            外箱
Ｃ、Ｃａ      液注出栓具
１            胴壁
２            液流出筒
３            ねじ
４            開口
５、５ａ      取付筒
６、６ａ      流通管
７、７ａ      注出筒
８、８ａ      支持筒
９            頂壁
１０          側周壁
１１、１４    開口
１２          ねじ
１３、１３ａ  側周壁
１５、１５ａ  蓋支持板
１６、１６ａ  蓋体
１７、２７    係止片
１８          つまみ
１９          注出口
２０          壁面  
２１          開孔
２２、２２ａ  頂壁
２３、２３ａ  側周壁
２４          係止環
２５          薄肉部
２６          係止孔
【図１】
0004794818.tif 000002
【図２】
0004794818.tif 000003
【図３】
0004794818.tif 000004
【図４】
0004794818.tif 000005
【図５】
0004794818.tif 000006
【図６】
0004794818.tif 000007